(57)【要約】      （修正有）【課題】株式情報放送装置を提供し、動的に更新される株式情報の放送を行う。【解決手段】この株式情報放送装置が持つプロセッサーは、無線受信モジュール、モニター、音声出力装置を制御し、かつ、プログラムの実行により下記メカニズムを達成する事ができる。少なくとも一件の株式情報を選択して、自選銘柄情報とする第一選択作業ステップ、自選銘柄情報をモニターに表示する表示作業ステップ、音声出力装置に出力したい取引情報を少なくとも一件選択する第二選択作業ステップ、第二選択作業で選択した少なくとも一件の取引情報と対応する銘柄名を音声データとして処理し、かつ、音声出力装置に出力して放送するステップを有する。【選択図】図１
2006350480.tif 000002
【特許請求の範囲】
【請求項１】
モニター、プロセッサー、音声出力装置、動的に更新される複数の株式情報（それぞれに複数の取引情報を含む）を受信するのに用いる受信モジュール、複数の操作キー、プロセッサーと電気的に接続され、かつ、その中にプログラムを包括するメモリを包括し、動的に更新される株式情報を放送する株式情報放送装置。
【請求項２】
上記の構造により、そのプロセッサーは受信モジュール、モニター及び音声出力装置を制御できると共に、メモリ内のプログラムを実行して下記のメカニズム：
第一選択作業において、その受信モジュールで受信した複数の株式情報から、少なくとも一件の株式情報を選択し自選銘柄情報とし、表示作業において、その自選銘柄情報をモニターに表示、放送作業において、自選銘柄情報中の取引情報を少なくとも一件音声データとして処理すると共に、音声出力装置に出力してその音声データを放送する、を達成することを特徴とする株式情報放送装置。
【請求項３】
更に第二選択作業の実行を含み、自選銘柄情報から、その音声出力装置に出力したい取引情報を少なくとも一件選択する。放送作業において、その第二選択作業で選択した少なくとも一件の情報を音声データとして処理すると共に、音声出力装置に出力し、その音声データを放送する、請求項１に記載の株式情報放送装置。
【請求項４】
更に文字情報を音声情報に変換する作業を行うボイスチップを含むことを特徴とする、請求項１に記載の株式情報放送装置。
【請求項５】
その放送作業を行う際に、取引情報に変動があった自選銘柄情報のみ放送することを特徴とする、請求項１に記載の株式情報放送装置。
【請求項６】
その株式情報放送装置が携帯式であることを特徴とする、請求項１に記載の株式情報放送装置。
【請求項７】
その取引情報が銘柄コード、銘柄名、終値、始値、値上がり/値下がり値及び出来高数量からなる情報群であることを特徴とする、請求項１に記載の株式情報放送装置。
【請求項８】
受信モジュールが無線受信モジュールであることを特徴とする、請求項１に記載の株式情報放送装置。
【請求項９】
モニター、プロセッサー、音声出力装置、動的に更新される複数の株式情報（それぞれに複数の取引情報を含む）を受信するのに用いる受信モジュール、複数の操作操作キー、プロセッサーと電気的に接続され、かつ、その中にプログラムを包括するメモリを包括する、動的に更新される株式情報を放送する株式情報放送装置。
【請求項１０】
上記の構造により、そのプロセッサーは受信モジュール、モニター及び音声出力装置を制御できると共に、メモリ内のプログラムを実行して下記のメカニズム：
第二選択作業において、その株式情報から、その音声出力装置に出力したい取引情報を少なくとも一件選択し、放送作業において、その第二選択作業で選択した少なくとも一件の取引情報を音声データとして処理すると共に、音声出力装置に出力し、その音声データを放送する、を達成することを特徴とする株式情報放送装置。
【請求項１１】
コンピュータで読取れるものであり、ユーザーに動的に更新される複数の株式情報（それぞれに複数の取引情報を含む）を聞かせる事ができる。それは更にプログラムコードを記録できる媒体を含み、その媒体は下記のプログラムコードを含むことを特徴とする、コンピュータで読取れるもの：
複数の株式情報をモニターに表示するのに用いる、情報表示プログラムコード、第一選択作業において、その複数の株式情報から少なくとも一件の株式情報を選択して自選銘柄情報とする、銘柄選出プログラムコード、放送作業において、自選銘柄情報から少なくとも一件の取引情報を音声データとして処理すると共に、音声出力装置に出力しその音声データを放送する、音声処理プログラムコード。
【請求項１２】
更に取引情報選出プログラムコードを含むことを特徴とする、請求項９に記載のコンピュータで読取れ、第二選択作業に用いて、自選銘柄情報中から、音声出力装置に出力したい取引情報を少なくとも一件選択し、放送作業において、その第二選択作業で選択した少なくとも一件の取引情報を、音声データとして処理すると共に、音声出力装置に出力し、その音声データを放送する。
【請求項１３】
その放送作業の際、取引情報に変動のあった自選銘柄情報のみ放送し、更に情報放送選択プログラムコードを含むことを特徴とする、請求項９に記載のコンピュータで読取れるもの。
【請求項１４】
コンピュータで読取れるものであり、ユーザーに動的に更新される複数の株式情報（それぞれに複数の取引情報を含む）を聞かせる事ができ、それは更にプログラムコードを記録できる媒体を含み、その媒体は下記のプログラムコードを含むことを特徴とする、コンピュータで読取れるもの：
複数の株式情報をモニターに表示するのに用いる、情報表示プログラムコード、第二選択作業において、その複数の株式情報から音声出力装置に出力したい取引情報を少なくとも一件選択する、取引情報選出プログラムコード、放送作業において、その第二選択作業で選択した少なくとも一件の取引情報を音声データとして処理すると共に、音声出力装置に出力し、その音声データを放送する、音声処理プログラムコード。
【発明の詳細な説明】
【技術分野】
【０００１】
本発明は株式情報放送装置、特に携帯可能な株式情報のボイス放送ができる株式情報放送装置に関する。
【背景技術】
【０００２】
従来、電子設備により株式情報を得る方法は基本的に下記の方式がある：
ラジオにより株式情報を得る。この利点は株式情報を聞きながら別の仕事ができるが、欠点として、銘柄の数量が多すぎ、ユーザーは銘柄を自分で選択できないため、最初から株式情報を聞かなければならず時間が無駄となる。
【０００３】
コンピュータにより株式情報サイトに接続する。株式情報サイトではユーザーに銘柄選択をさせてくれるので、ユーザーは自選銘柄のみ見る事ができる。しかし、この欠点は、ユーザーは肉眼により株式情報を見なければならないため、他の仕事（目を使う仕事）をするのが難しい。
【０００４】
携帯可能な表示装置（即ち、株式機器）により株式情報を表示する。一般的に、株式機器はユーザーに自選銘柄を選択させてくれ、且つ無線伝送機能を有する。更に、携帯に便利で、ユーザーはいつでもどこでも自由に最新の株式情報が得られる。しかし、やはりユーザーは肉眼により株式情報を見なければならず不便だという欠点がある。例えば、ユーザーが運転中は使用できない。
従って、従来の株式情報取得方法の欠点を改善する必要がある。
【発明の開示】
【発明が解決しようとする課題】
【０００５】
本発明の主な目的は、表示モニターとボイス放送機能を兼ねそなえた株式情報放送装置の提供である。ユーザーは目と耳により株式情報を得ることができ、いつでもどこでも株式マーケットの最新情報が把握できる。
【０００６】
本発明のもう一つの目的は、多種のボイス放送選択機能を有する株式情報放送装置の提供である。ユーザーに多種の選択方法を提供して株式情報放送作業を行う。
【課題を解決するための手段】
【０００７】
その目的を達成するために、本発明は株式情報放送装置を提供し、動的に更新される株式情報を放送する。本発明が提供する株式情報放送装置は、無線受信モジュール、メモリ、ボイスチップ、モニター、音声出力装置、プロセッサー及び複数の機能キーを含む。無線受信モジュールは動的に更新される複数の株式情報を受信する。各株式情報は複数の取引情報を含むと共に、各取引情報は銘柄名に対応している。プロセッサーは無線受信モジュール、モニター、音声出力装置を制御する。並びにメモリに記録するか、ボイスチップ内のプログラムを実行して、株式情報をモニターに表示し、音声出力装置に出力してボイス放送のメカニズムを達成する。
【０００８】
本発明の具体的な実施例において、モニターの表示作業は下記ステップにより行う。
第一選択作業の実行において、少なくとも一件の株式情報を選択して自選銘柄情報とする。表示作業の実行において、自選銘柄情報をモニターに表示する。
【０００９】
本発明の具体的な実施例において、ボイス放送作業は下記ステップにより行う。
第二選択作業の実行において、自選銘柄情報中から音声出力装置に出力したい少なくとも一件の取引情報を選択する。
放送作業の実行において、第二選択作業で選択した少なくとも一件の取引情報と対応する銘柄名を音声データとして処理すると共に、音声出力装置に出力してボイス放送する。
【発明を実施するための最良の形態】
【００１０】
本発明の技術内容をより一層明確にするために、良い実施例を下記に示す。
【００１１】
図１から図７を参照しながら本発明の具体的な実施例を説明する。
まず、図１は本発明に係る携帯可能な株式放送装置の回路構造図である。
図１に示すように、本発明の具体的な実施例において、本発明は株式情報放送装置１０を提供する。それはプロセッサー１１、プロセッサー１１と電気的に接続するモニター１２、メモリ１３、操作キー１４、無線受信モジュール１５、音声出力装置16、ボイスチップ１７を有する。本発明のハードウェア・コンポーネントは従来のコンポーネントを採用しており且つ、全体的な構造が普通のコンピュータと類似しているので、ここでは各コンポーネントの用途を説明をしない。
【００１２】
また、図２は本発明に係る株式情報処理のメインプログラム３０の構造図である。株式情報処理のメインプログラム３０は主に株式情報受信後、株式情報をモニター或いは音声方式によりユーザーに放送する。株式情報のモニター表示方法はすでに周知の技術のため、ここでは本発明の特徴と関連する部分のみ説明する。株式情報処理のメインプログラム３０と本発明に係る特徴部分は、情報表示プログラムコード３１、銘柄選出プログラムコード３２と、取引情報選出プログラムコード３３、音声処理プログラムコード３４、情報放送選択プログラムコード３５を含む。下記に各プログラムコードを説明する。
【００１３】
図３は本発明に係る具体的な実施例の株式情報放送装置１０の正面図である。その表示モニター１２が複数の株式情報２０を表示している状態である。本発明の利点は携帯可能設計であり、ユーザーは随時携帯でき便利である。図２に示すように、無線受信モジュール１５で受信した複数の株式情報２０は、プロセッサー１１により、メモリ１３内へ記録する株式情報処理メインプログラム３０が実行されて、モニター１２に表示する事ができる。
【００１４】
図３に示すように、モニター１２が表示する各株式情報２０は全て複数の取引情報４０を含む。図３に示すように、複数の取引情報は「銘柄コード」、「銘柄名」、「終値」「値上がり/値下がり値」、「始値」、「出来高数量」などである。「大将」株を例にとると、この株式情報２０は、「銘柄コード」１４５３、「銘柄名」大将、「終値」９.８０、「値上がり/値下がり値」−０.２０、「始値」１０.００、「出来高数量」８２８など複数の取引情報４０を含む。
【００１５】
図４は本発明に係る具体的な実施例の株式情報放送装置１０が第一選択作業を行う図である。図４に示すように、ユーザーが操作キー１４によりプロセッサー１１を起動すると、メモリ１３内へ記録する銘柄選出プログラムコード３２が実行され、モニター１２上の第一選択作業において、モニター１２に表示したい銘柄名を選択し自選銘柄名とする。図４では、光宝科技、麗正、聯電、全友、台達電などの五つの銘柄が自選銘柄名として選択された事を示す。本発明の利点は操作キーにより第一選択作業が行える事だが、注意すべき点はモニター１２がタッチパネルである事。ユーザーはタッチペン或いは指先により、株式情報選択作業を行う。従来の株式機器にもこの機能があるので、ここでは説明を省略する。
【００１６】
次の図５は本発明に係る具体的な実施例の株式情報放送装置１０が表示作業を行う図である。図５に示すように、図４で選択した光宝科技、麗正、聯電、全友、台達電などの五つの銘柄の株式情報がモニター１２に表示され、この株式情報は情報表示プログラムコード３１により処理される。図５に示すように、モニター１２が表示する複数の株式情報は銘柄コードの大小により、小から大の順に表示される。しかし、ユーザーは他の表示方式、例えば、終値の大小、或いは出来高数量の多少順の表示が選択できる。モニター１２上に複数の株式情報と配列方法を表示する方法については、この分野の技術に詳しい者は周知しているため、その説明を略する。
【００１７】
図６は本発明に係る具体的な実施例の株式情報放送装置１０が第二選択作業を行う図である。図６に示すように、ユーザーが操作キー１４によりプロセッサー１１を起動すると、メモリ１３内へ記録する取引情報選出プログラムコード３３が実行され、第二選択作業を行い、音声出力装置16に出力してボイス放送したい株式情報を選択する。ユーザーは少なくとも一件以上の株式取引情報４０を選択しボイス放送を行う。例えば、図６では銘柄名と終値をボイス放送項目に選定しているので、音声出力装置16に出力される情報は「銘柄名」と「終値」情報のみを含む。
【００１８】
一般に視覚により情報を読取るほうが、聴覚によるより速いので、第二選択作業ではユーザーに耳で聞きたい情報を選択させ、聞きたくない情報をふるい落としている。これも本発明の特徴の一つである。
【００１９】
また、本発明の最も良い点は、操作キー１４により第二作業が選択できる事である。注意すべき点はモニター１２がタッチパネルである事。ユーザーはタッチペン或いは指先により、ボイス放送する株式取引情報の選択作業を行う。
【００２０】
ボイス放送選択作業が終わると、プロセッサー１１が音声処理プログラムコード３４を実行し、第二選択作業で選択した取引情報４０のボイス放送を行う事ができる。即ち、音声方式により音声出力装置16に出力する。
【００２１】
本実施例において、ボイスチップ１７で文字情報を音声情報に変換する作業を行う。注意すべきことは、メモリ１３も音声ソフトプログラム有し、ここで変換できるので、ボイスチップ１７は必ずしも必要でない事である。
【００２２】
また、本発明の具体的な実施例において、ボイス放送作業は選定した取引情報の順序に従って放送するほかに、変動のあった取引情報のみの放送に設定する事もできる。
図７は本発明の具体的な実施例の変動のあった取引情報のみを放送するフローチャートである。これは情報放送選択プログラムコード３５により完成する。図７に示すように、株式取引情報を一件放送するたびに、本発明はステップ６０１を行い、次の放送予定の株式取引情報に変動があるかどうか検査する。次に放送する株式取引情報に、前回の放送作業後変動があった場合、本発明はステップ６０２を行い、その株式取引情報を放送する。変動がなかった場合、ステップ６０１に戻り、その次の放送予定の株式取引情報に変動がないか検査する。こうして、本発明は変動のあった株式取引情報のみ放送する。このほか、本発明の実施例において、ユーザーはボイス放送のボリューム、速度（図示せず）などの調整ができる。
【００２３】
以上の技術はパソコンのプラットホーム（図示せず）に移転できる事である。重要な点は、取引情報選出プログラムコード３３、音声処理プログラムコード３４、情報放送選択プログラムコード３５を従来のパソコンの株式情報処理メインプログラムに加えるだけでよいことである。もちろんパソコンは無線受信モジュール或いはケーブル伝送方式、例えばインターネットにより株式情報を得ることができる。更に、パソコンのプロセッサーの機能は強力なので、ボイスチップは基本的に必要ない。また、本発明の実施例の複数の操作キー１４は、パソコンのキーボード或いはマウスにあたる。
【産業上の利用可能性】
【００２４】
上記のように、本発明は目的、手段、効果のいずれにおいても、従来の技術と異なる特徴を呈する。早めに特許申請が許可されれば、社会にとり恩恵となる。しかし、上記の実施例は、説明のため例として挙げただけであり、本発明が主張する権利範囲は請求項の記載内容に準じ、上記の実施例に限定されるものではない。例えば、第一選択作業と第二選択作業は必ずしも両方とも必要というわけではない。第一選択作業のみの場合、ユーザーは自選銘柄のどの取引情報を放送するか選択できない。第二選択作業のみの場合、ユーザーは自選銘柄を選択できない。
【図面の簡単な説明】
【００２５】
【図１】図１は、本発明に係る携帯可能な株式放送装置の回路構造図である。
【図２】図２は、本発明に係る株式情報処理のメインプログラムの構造図である。
【図３】図３は、本発明に係る株式情報放送装置の正面図であり、モニターが複数の株式情報を表示している状態である。
【図４】図４は、本発明に係る株式情報放送装置で第一選択作業を行う状態である。
【図５】図５は、本発明に係る株式情報放送装置で表示作業を行う状態である。
【図６】図６は、本発明に係る株式情報放送装置で第二選択作業を行う状態である。
【図７】図７は、本発明に係る株式情報放送装置で変動のあった取引情報のみを放送するフローチャートである。
【符号の説明】
【００２６】
１０      株式情報放送装置
１１      プロセッサー
１２      モニター
１３      メモリ
１４      操作キー
１５      無線受信モジュール
１６      音声出力装置
１７      ボイスチップ
２０      株式情報
４０      取引情報
３０      メインプログラム
３１      情報表示プログラムコード
３２      銘柄選出プログラムコード
３３      取引情報選出プログラムコード
３４      音声処理プログラムコード
３５      情報放送選択プログラムコード
【図１】
2006350480.tif 000003
【図２】
2006350480.tif 000004
【図３】
2006350480.tif 000005
【図４】
2006350480.tif 000006
【図５】
2006350480.tif 000007
【図６】
2006350480.tif 000008
【図７】
2006350480.tif 000009